(57)【要約】【課題】携帯端末の利用者が各領域の展示物に近づいたときに、その展示物に関するコンテンツ情報を音声や画像によって迅速にガイドすることが可能な情報配信システムを提供する。【解決手段】サーバ３は、展示物が収容された展示館１０内の複数の領域の各々に配置された複数のアンテナ１ａ乃至１ｆを介して通信路が確立された携帯端末２との間で無線通信を行う通信部と、通信路が確立された携帯端末２に対して、そのアンテナの位置に対応する位置の展示物に関するコンテンツ情報を、通信部によって送信させる制御部と、を有する。携帯端末２は、領域内の任意のアンテナからコンテンツ情報を受信するBluetooth通信部と、Bluetooth通信部によって受信されたコンテンツ情報を処理して音声情報、画像情報を音声部、表示部に出力する制御部と、を有する。【選択図】図１
2012181683.tif 000002
【特許請求の範囲】
【請求項１】
情報配信装置及び携帯端末を備え、
前記情報配信装置は、
展示物が収容された展示館内の複数の領域の各々に配置された複数のアンテナを介して通信路が確立された携帯端末との間で無線通信を行う第１の通信部と、
前記通信路が確立された携帯端末に対して当該アンテナの位置に対応する位置の展示物に関するコンテンツ情報を前記第１の通信部によって送信させる第１の制御部と、を有し、
前記携帯端末は、
前記領域内の任意のアンテナからコンテンツ情報を受信する第２の通信部と、
前記第２の通信部によって受信されたコンテンツ情報を処理して音声情報及び又は画像情報を出力する第２の制御部と、を有する、
ことを特徴とする情報配信システム。
【請求項２】
前記第１の通信部は、前記複数のアンテナの各々と接続された同一の通信アドレスを有する複数の通信デバイスをさらに備え、各通信デバイスは、当該同一の通信アドレスに基づいて、異なる通信アドレスを有する任意の携帯端末との間で通信路を確立する、
ことを特徴とする請求項１に記載の情報配信システム。
【請求項３】
展示物が収容された展示館内の複数の領域の各々に配置された複数のアンテナと、
任意のアンテナを介して通信路が確立された携帯端末との間で無線通信を行う通信部と、
前記展示物に関するコンテンツ情報を記憶するコンテンツ記憶部と、
前記通信路が確立された携帯端末に対して当該アンテナの位置に対応する位置の展示物に関するコンテンツ情報を前記コンテンツ記憶部から読み出して前記通信部によって送信させる制御部と、を備える、
ことを特徴とする情報配信装置。
【請求項４】
前記通信部は、前記複数のアンテナの各々と接続された同一の通信アドレスを有する複数の通信デバイスをさらに備え、各通信デバイスは、当該同一の通信アドレスに基づいて、異なる通信アドレスを有する任意の携帯端末との間で通信路を確立する、
ことを特徴とする請求項３に記載の情報配信装置。
【請求項５】
前記複数の通信デバイスは、同一のBluetoothデバイスアドレスを有する、
ことを特徴とする請求項４に記載の情報配信装置。
【請求項６】
前記複数の通信デバイスは、各領域において展示物を照明する照明器具に取り付けられたアンテナ又は当該照明器具の一部を構成するアンテナを介して、任意の携帯端末との間で通信路を確立する、
ことを特徴とする請求項３乃至５のいずれか１項に記載の情報配信装置。
【請求項７】
展示物が収容された展示館内の複数の領域の各々に配置された複数のアンテナを介して情報配信装置との間で通信路を確立する通信部と、
任意の領域内に配置されたアンテナから前記通信部が受信した当該アンテナの位置に対応する位置の展示物に関するコンテンツ情報を処理して音声情報及び又は画像情報を出力する制御部と、を有する、
ことを特徴とする携帯端末。
【請求項８】
前記通信部は、前記複数のアンテナがそれぞれ配置された異なる領域の位置にかかわらず同一の通信アドレスによって前記情報配信装置との間で通信路を確立する、
ことを特徴とする請求項７に記載の携帯端末。
【請求項９】
情報配信装置の第１の通信部が、展示物が収容された展示館内の複数の領域の各々に配置された複数のアンテナを介して通信路が確立された携帯端末との間で無線通信を行い、
前記情報配信装置の第１の制御部が、前記通信路が確立された携帯端末に対して当該アンテナの位置に対応する位置の展示物に関するコンテンツ情報を前記第１の通信部によって送信させ、
前記携帯端末の第２の通信部が、前記領域内の任意のアンテナからコンテンツ情報を受信し、
前記携帯端末の第２の制御部が、前記第２の通信部によって受信されたコンテンツ情報を処理して音声情報及び又は画像情報を出力する、
ことを特徴とする情報配信方法。
【請求項１０】
コンピュータに、
展示物が収容された展示館内の複数の領域の各々に配置された複数のアンテナのうちの任意のアンテナを介して通信路が確立された携帯端末との間で無線通信を行う第１のステップと、
前記通信路が確立された携帯端末に対して当該アンテナの位置に対応する位置の展示物に関するコンテンツ情報を前記第１のステップによって送信させる第２のステップと、を実行させる、
ことを特徴とするプログラム。
【発明の詳細な説明】
【技術分野】
【０００１】
本発明は、情報配信システム、情報配信装置、携帯端末、情報配信方法及びプログラムに関し、特に、美術館などの施設において利用者が所持している携帯端末を用いて館内施設、展示物、商品等を案内するための情報を配信する情報配信システム、情報配信装置、携帯端末、情報配信方法及びプログラムに関する。
【背景技術】
【０００２】
一般に、美術館などの施設において、絵画などの展示物に関する情報の音声ガイドを利用者が所持している携帯端末に配信する案内サービスが行われている。
【０００３】
例えば、下記の特許文献１に記載の館内案内システムによれば、館内の受付、展示物や商品の案内をする場所に無線通信装置を設置しておき、接近した利用者の携帯端末に展示物等に適した案内情報を発信するとともに、決済処理を行う構成になっている。
【０００４】
また、下記の特許文献２に記載のガイドシステムによれば、利用者が使用する携帯端末は、予め音声ガイドプログラムを格納しており、その音声ガイドプログラムを利用者が起動することで、美術館に配置された複数の無線ＬＡＮ基地局の各々から、その位置情報に対応するガイド情報を受信する構成になっている。
【先行技術文献】
【特許文献】
【０００５】
【特許文献１】特開２００２−９２２３３号公報
【特許文献２】特開２００６−２１７５０８号公報
【発明の概要】
【発明が解決しようとする課題】
【０００６】
しかしながら、上記特許文献１及び２のシステムにおいて、携帯端末は、展示室等の各領域に設置された個々の無線通信装置（又は、無線ＬＡＮ基地局）ごとに通信プロトコルに従って接続処理を行っている。このため、携帯端末の使用者が、現在の領域から他の領域に移動するたびに、使用者が携帯端末を操作して、その移動先の無線通信装置との間で煩雑な接続処理を行う必要があり、迅速なガイドを提供できないという問題があった。
【０００７】
本発明の目的は、展示物が収容された展示館内の複数の領域の各々に配置された個々の無線通信装置ごとに煩雑な接続処理を必要とすることなく、携帯端末の利用者が各領域の展示物に近づいたときに、その展示物に関するコンテンツ情報を音声や画像によって迅速にガイドすることが可能な情報配信システムを提供することにある。
【０００８】
また、本発明の目的は、展示物が収容された展示館内の複数の領域の各々に配置された個々の無線通信装置ごとに煩雑な接続処理を必要とすることなく、携帯端末の利用者が各領域の展示物に近づいたときに、その展示物に関するコンテンツ情報を音声や画像によって迅速にガイドすることが可能な情報配信装置を提供することにある。
【０００９】
また、本発明の目的は、展示物が収容された展示館内の複数の領域の各々に配置された個々の無線通信装置ごとに煩雑な接続処理を必要とすることなく、携帯端末の利用者が各領域の展示物に近づいたときに、その展示物に関するコンテンツ情報を音声や画像によって迅速にガイドすることが可能な携帯端末を提供することにある。
【００１０】
また、本発明の目的は、展示物が収容された展示館内の複数の領域の各々に配置された個々の無線通信装置ごとに煩雑な接続処理を必要とすることなく、携帯端末の利用者が各領域の展示物に近づいたときに、その展示物に関するコンテンツ情報を音声や画像によって迅速にガイドすることが可能な情報配信方法を提供することにある。
【００１１】
また、本発明の目的は、展示物が収容された展示館内の複数の領域の各々に配置された個々の無線通信装置ごとに煩雑な接続処理を必要とすることなく、携帯端末の利用者が各領域の展示物に近づいたときに、その展示物に関するコンテンツ情報を音声や画像によって迅速にガイドすることが可能なプログラムを提供することにある。
【課題を解決するための手段】
【００１２】
本発明による情報配信システムは、情報配信装置及び携帯端末を備え、
前記情報配信装置は、
展示物が収容された展示館内の複数の領域の各々に配置された複数のアンテナを介して通信路が確立された携帯端末との間で無線通信を行う第１の通信部と、
前記通信路が確立された携帯端末に対して当該アンテナの位置に対応する位置の展示物に関するコンテンツ情報を前記第１の通信部によって送信させる第１の制御部と、を有し、
前記携帯端末は、
前記領域内の任意のアンテナからコンテンツ情報を受信する第２の通信部と、
前記第２の通信部によって受信されたコンテンツ情報を処理して音声情報及び又は画像情報を出力する第２の制御部と、を有する、
ことを特徴とする。
【００１３】
本発明による情報配信装置は、
展示物が収容された展示館内の複数の領域の各々に配置された複数のアンテナと、
任意のアンテナを介して通信路が確立された携帯端末との間で無線通信を行う通信部と、
前記展示物に関するコンテンツ情報を記憶するコンテンツ記憶部と、
前記通信路が確立された携帯端末に対して当該アンテナの位置に対応する位置の展示物に関するコンテンツ情報を前記コンテンツ記憶部から読み出して前記通信部によって送信させる制御部と、を備える、
ことを特徴とする。
【００１４】
本発明による携帯端末は、
展示物が収容された展示館内の複数の領域の各々に配置された複数のアンテナを介して情報配信装置との間で通信路を確立する通信部と、
任意の領域内に配置されたアンテナから前記通信部が受信した当該アンテナの位置に対応する位置の展示物に関するコンテンツ情報を処理して音声情報及び又は画像情報を出力する制御部と、を有する、
ことを特徴とする。
【００１５】
本発明による情報配信方法は、
情報配信装置の第１の通信部が、展示物が収容された展示館内の複数の領域の各々に配置された複数のアンテナを介して通信路が確立された携帯端末との間で無線通信を行い、
前記情報配信装置の第１の制御部が、前記通信路が確立された携帯端末に対して当該アンテナの位置に対応する位置の展示物に関するコンテンツ情報を前記第１の通信部によって送信させ、
前記携帯端末の第２の通信部が、前記領域内の任意のアンテナからコンテンツ情報を受信し、
前記携帯端末の第２の制御部が、前記第２の通信部によって受信されたコンテンツ情報を処理して音声情報及び又は画像情報を出力する、
ことを特徴とする。
【００１６】
本発明によるプログラムは、コンピュータに、
展示物が収容された展示館内の複数の領域の各々に配置された複数のアンテナのうちの任意のアンテナを介して通信路が確立された携帯端末との間で無線通信を行う第１のステップと、
前記通信路が確立された携帯端末に対して当該アンテナの位置に対応する位置の展示物に関するコンテンツ情報を前記第１のステップによって送信させる第２のステップと、を実行させる、
ことを特徴とする。
【発明の効果】
【００１７】
本発明によれば、展示物が収容された展示館内の複数の領域の各々に配置された個々の無線通信装置ごとに煩雑な接続処理を必要とすることなく、携帯端末の利用者が各領域の展示物に近づいたときに、その展示物に関するコンテンツ情報を音声や画像によって迅速にガイドすることが可能になる。
【図面の簡単な説明】
【００１８】
【図１】本発明の実施形態における情報配信システムの構成を示す図である。
【図２】実施形態におけるサーバの構成を示すブロック図である。
【図３】実施形態における携帯端末の構成を示すブロック図である。
【図４】図２のサーバの動作を示すメインルーチンのフローチャートである。
【図５】図４における携帯端末登録処理のフローチャートである。
【図６】図４におけるコンテンツ情報送信処理のフローチャートである。
【図７】図４における携帯端末抹消処理のフローチャートである。
【図８】図３の携帯端末の動作を示すメインルーチンのフローチャートである。
【図９】図８におけるコンテンツ情報受信処理のフローチャートである。
【発明を実施するための形態】
【００１９】
（実施形態１）
以下、図面を参照して、本発明の実施形態について詳細に説明する。
【００２０】
図１は、本発明の実施形態における情報配信システムの構成を示す図である。図１において、展示館１０は、例えば、美術館であり、絵画や彫刻の作品が展示されている。展示館１０には、入口１０ａ及び出口１０ｂが設けられている。展示館１０の内部は、壁やパーティション等によって複数の領域（展示室）に区切られている。なお、説明の都合上、図１では数個の領域に区切られているが、実際の展示館にはさらに多くの領域が設けられている。
【００２１】
携帯端末２は、展示館１０に訪れた利用者の携帯電話機等の端末である。携帯端末２は、Bluetooth（登録商標）通信端末としての固有の通信アドレス（BD_ADDR）によって識別することができる。Bluetooth機能を具備した携帯端末を含め、一般的なBluetoothデバイスは、２．４ＧＨｚで動作し、公称出力電力では１０メートルの通信範囲内で動作する。また、１００ｍＷの出力電力では１００メートルまで延長できる２つ以上の装置間に接続を確立するように構成された近距離無線通信システムである。他のBluetoothデバイスを検出する場合には、「Inquiry」と称される問合せメッセージ又は照会メッセージを送信してその付近の他のBluetoothデバイスを探索する。
【００２２】
携帯端末２を持った利用者（以下、説明の簡便のため「携帯端末２」という）は、各領域の番号や矢印に従って進みながら展示物を観賞する。すなわち、携帯端末２は、入口１０ａを含む領域から始めて、点線で示す動線に沿って各領域の展示物を観賞し、出口１０ｂから退館する。
【００２３】
各領域には、アンテナ１ａ乃至１ｆが配置されている。これらのアンテナは、近距離無線通信、本実施形態においては、Bluetooth用の非常に小さい形状の構造になっている。したがって、展示物の真上の天井や展示物の裏側に配置することが可能であり、展示物や展示館の美観を損ねることがない。なお、アンテナ１ａ乃至１ｅが配置されている各領域には展示物が収容されているが、出口１０ｂの近傍のアンテナ１ｆが配置されている領域には展示物は収容されていない。詳細については後述するが、アンテナ１ｆが配置されている領域は、携帯端末２の退館処理を行う領域である。
【００２４】
展示物が収容された領域以外の図１の右下に示す区域には、情報配信装置としてのサーバ３が配置されている。詳細については後述するが、サーバ３は、全てのアンテナ１ａ乃至１ｆと無線の通信回線によって接続されている。あるいは、サーバ３は、光ファイバ等の通信回線によって全てのアンテナ１ａ乃至１ｆと接続されている。
【００２５】
図２は、実施形態におけるサーバ３（情報配信装置）の構成を示すブロック図である。図２において、制御部３１は、例えば、ＣＰＵ（Central Processing Unit：中央演算処理装置）などのプロセッサや、ＲＡＭ（Random Access Memory）などの主記憶装置（メモリ）などから構成されるコンピュータである。制御部３１は、後述する記憶部などに格納されているプログラムを実行することで、サーバ３の各部を制御する。また、本実施形態では、プログラムを実行することで、後述する各処理の機能が制御部３１によって実現される。
【００２６】
制御部３１のシステムバス３２は、記憶部３３、コンテンツ記憶部３４、バッファ部３５、操作部３６、表示部３７、及び通信部３８に接続されている。制御部３１は、システムバス３２を介してこれらの各部を適宜制御する。
【００２７】
記憶部３３は、不揮発性のメモリ、例えば、ＲＯＭ（Read Only Memory）、ＥＥＰＲＯＭ（Electric Erasable Program ROM）等の半導体メモリ、磁気ディスク、光ディスク、その他コンピュータによって読み取り可能な任意の記憶装置で構成されている。上述したように、記憶部３３には、制御部３１によって実行されるプログラムが予め記憶されている。
【００２８】
コンテンツ記憶部３４は、展示物に関するコンテンツ情報を記憶している。コンテンツ情報としては、例えば、展示物の作者、制作年月、展示物の素材（絵画の場合には、油絵、水彩、アクリル、キャンバス、紙、板等）、展示物や作者にまつわるエピソード、展示物の価格などがある。
【００２９】
バッファ部３５は、Bluetooth通信における携帯端末２に固有の通信アドレス、すなわち、Bluetoothデバイスアドレス（BD_ADDR）を一時的に記憶する。さらに、バッファ部３５は、利用者の氏名、金融機関の口座番号やクレジットの番号を記憶してもよい。この場合には、展示館１０の入場料や展示物を購入する場合の電子決済が可能である。
【００３０】
操作部３６は、展示館１０の職員によって操作され、コンテンツ記憶部３４に記憶するコンテンツ情報の入力、変更、削除等のデータ操作を行う入力装置である。
【００３１】
表示部３７は、サーバ３の状態を表示すると共に、操作部３６によって入力、変更、削除等のデータ操作の内容を表示する。また、館内の監視カメラ（図示せず）の映像を表示する。
【００３２】
通信部３８は、館内の複数のアンテナ１ａ乃至１ｆと無線接続又は有線接続されている。上述したように、サーバ３と携帯端末２とはBluetoothのプロトコルに準拠した無線通信を行うので、通信部３８は、各アンテナ１ａ乃至１ｆに対応するBluetoothデバイス３ａ乃至３ｆを有する。Bluetoothデバイス３ａ乃至３ｆは、Bluetoothデバイスアドレス（BD_ADDR）が同一である以外は、一般的に使用されているBluetoothモジュールである。通信部３８は、制御部３１と協働して、各Bluetoothデバイスの送受信処理を制御する。
【００３３】
図３は、実施形態における携帯端末２の構成を示すブロック図である。図３において、制御部２１は、例えば、ＣＰＵなどのプロセッサや、ＲＡＭなどの主記憶装置（メモリ）、などから構成され、後述する記憶部などに格納されているプログラムを実行することで、携帯端末２の各部を制御する。また、本実施形態では、プログラムを実行することで、後述する各処理の機能が制御部２１によって実現される。
【００３４】
制御部２１のシステムバス２２は、記憶部２３、操作部２４、音声部２５、通信部２６、表示部２７、バッファ部２８、及びBluetooth通信部２９に接続されている。制御部２１は、システムバス２２を介してこれらの各部を適宜制御する。
【００３５】
記憶部２３は、不揮発性のメモリ、例えば、ＲＯＭ、ＥＥＰＲＯＭ等の半導体メモリで構成されている。記憶部２３には、制御部２１によって実行されるプログラムが予め記憶されている。また、記憶部２３には、携帯端末２の通信アドレスすなわち、Bluetoothデバイスアドレス（BD_ADDR）、利用者の氏名、金融機関の口座番号やクレジットの番号などが記憶されている。
【００３６】
操作部２４は、数字やメニューを入力するキーバッド等のスイッチ、又は表示部２７と一体のタッチパネルのスイッチで構成されている。操作部２４によって選択されるメニューとして、Bluetooth機能やその他の機能を起動するものがある。
【００３７】
音声部２５は、スピーカ、ヘッドホン端子、マイクロフォンを備え、着信音、電話音声の発音及び電話音声の入力等のように通常の電話通信の音声処理を行う。また、音声部２５は、サーバ３から受信した展示物に関するコンテンツ情報から変換された展示物に関する音声ガイドを発音する。
【００３８】
通信部２６は、通常の公衆通信手段であり、公衆回線を介して、他の携帯端末又は固定電話機との間で音声やメールの通信をすることができる。通信部２６はまた、インターネットに接続して種々のサイトにアクセスすることができる。
【００３９】
表示部２７は、通常の電話処理に関するメニューを表示するほか、サーバ３から受信した展示物に関するコンテンツ情報から変換された展示物に関する文字、記号、イラスト、写真等の画像ガイドを表示する。
【００４０】
バッファ部２８は、サーバ３から送信されるコンテンツ情報を一時的に記憶する。コンテンツ情報は、通常、符号化されている。制御部２１は、バッファ部２８に記憶されたコンテンツ情報を復号化（変換）して、音声情報及び又は画像情報を出力する。
【００４１】
Bluetooth通信部２９は、Bluetooth通信のプロトコルに準拠して、アンテナ１ａ乃至１ｆを介してサーバ３と無線通信を行う。コンテンツ情報は、このBluetooth通信部２９によって受信される。また、このBluetooth通信部２９によって、携帯端末２の通信アドレスをサーバ３に送信する。
【００４２】
次に、実施形態における情報配信システムの動作について図を参照して説明する。まず、サーバ３の動作について図４乃至図７を参照して説明する。
【００４３】
図４は、サーバ３の制御部３１によって実行されるメインルーチンのフローチャートである。制御部３１は、携帯端末登録処理（ステップＳ１０１）、コンテンツ情報送信処理（ステップＳ１０２）、携帯端末抹消処理（ステップＳ１０３）を繰り返し実行する。
【００４４】
図５は、図４のステップＳ１０１における携帯端末登録処理のフローチャートである。この処理では、制御部３１は、通信部３８のBluetoothデバイス３ａを介して、図１に示した展示館１０の入口１０ａ近傍のアンテナ１ａから携帯端末２を探索する（ステップＳ２０１）。すなわち、制御部３１は、Bluetooth通信によって問い合わせ（照会）メッセージの電波を送信して携帯端末２を探索する。
【００４５】
制御部３１は、問い合わせ（照会）メッセージの電波に対する応答を受信したか否かによって、入館した携帯端末２を検出したか否かを検出する（ステップＳ２０２）。携帯端末２を検出したときは（ステップＳ２０２；ＹＥＳ）、制御部３１は、その携帯端末２とBluetoothデバイス３ａとをペアリングする（ステップＳ２０３）。すなわち、制御部３１は、Bluetoothデバイス３ａによって携帯端末２との間で、Bluetoothの通信プロトコルに準拠した通信処理を行って通信路を確立する。
【００４６】
次に、制御部３１は、携帯端末２の通信アドレス（BD_ADDR）を受信したか否かを判別する（ステップＳ２０４）。通信アドレスを受信しない場合には（ステップＳ２０４；ＮＯ）、制御部３１は、ステップＳ２０３において携帯端末２とのペアリングを継続する。
【００４７】
通信アドレスを受信したときは（ステップＳ２０４；ＹＥＳ）、制御部３１は、受信した通信アドレスをバッファ部３５に一時的に登録する（ステップＳ２０５）。
【００４８】
次に、制御部３１は、応答信号を携帯端末２に送信する（ステップＳ２０６）。これにより、携帯端末２は、自己の通信アドレスがサーバ３に登録されたことを認識できる。ステップＳ２０５において応答信号を送信した後、制御部３１は、図４のフローチャートに戻る。
【００４９】
携帯端末２とBluetoothデバイス３ａとのペアリングによって、サーバ３は携帯端末２を認識して通信アドレスを登録するので、他のBluetoothデバイス（３ｂ乃至３ｆ）は、その登録された携帯端末２との間で改めてペアリングをする必要はない。通信アドレスが登録された携帯端末２は、展示館内に存在する限り、サーバ３との間で常に通信路が確立されている。また、上述したように、Bluetoothデバイス３ａ乃至３ｆは、Bluetoothデバイスアドレス（BD_ADDR）が同一である。したがって、携帯端末２は、個々のBluetoothデバイスを意識することなく、あたかも単一のBluetoothデバイスからコンテンツ情報を受信するかのような通信形態が実現される。
【００５０】
アンテナ１ａを介して携帯端末２を検出しない場合には（ステップＳ２０２；ＮＯ）、現在の時間帯において新たな携帯端末２の入館がないので、制御部３１は、図４のフローチャートに戻る。
【００５１】
図６は、図４のステップＳ１０２におけるコンテンツ情報送信処理のフローチャートである。制御部３１は、アンテナ１ａを変数ｘに設定する（ステップＳ３０１）。アンテナ１ａが配置された図１の領域にも、展示物が収容されているので、この領域においてもサーバ３は携帯端末２に対してコンテンツ情報の配信を行う。
【００５２】
次に、制御部３１は、アンテナｘから携帯端末２を探索する（ステップＳ３０２）。すなわち、制御部３１は、入口１０ａから順次入館する携帯端末２の通信アドレス（BD_ADDR）を記憶した後は、変数ｘで設定するアンテナを繰り返し更新しながら、アンテナｘが配置された領域内に存在する任意の携帯端末２を探索する。この探索においても、制御部３１は、問い合わせ（照会）メッセージの電波を送信して携帯端末２を探索する。
【００５３】
制御部３１は、問い合わせ（照会）メッセージに対する応答の有無によって、アンテナｘの領域内の携帯端末２を検出したか否かを検出する（ステップＳ３０３）。１つ又は複数の携帯端末２を検出したときは（ステップＳ３０３；ＹＥＳ）、制御部３１は、１つの携帯端末２を指定して接続（アクセス）する（ステップＳ３０４）。
【００５４】
次に、制御部３１は、アンテナｘが配置されている領域の展示物のコンテンツ情報を携帯端末２に送信する（ステップＳ３０５）。
【００５５】
次に、制御部３１は、アンテナｘが配置された領域において、ステップＳ３０３で検出した全ての携帯端末２に対してコンテンツ情報の送信が終了したか否かを判別する（ステップＳ３０６）。
【００５６】
検出した全ての携帯端末２に対してコンテンツ情報の送信が終了していない場合には（ステップＳ３０６；ＮＯ）、制御部３１は、次の携帯端末を指定して（ステップＳ３０４）、その指定した携帯端末２に対してコンテンツ情報の送信を行う（ステップＳ３０５）。
【００５７】
アンテナｘ（この場合は、アンテナ１ａ乃至１ｅのいずれか）が配置された領域の全ての携帯端末２に対してコンテンツ情報の送信が終了したときは（ステップＳ３０６；ＹＥＳ）、制御部３１は、次のアンテナを変数ｘに設定する（ステップＳ３０７）。なお、複数の携帯端末２を検出した場合に、制御部３１は、同報機能により同一領域内の全ての携帯端末２に対して同時にコンテンツ情報を送信してもよい。
【００５８】
次のアンテナを変数ｘに設定した後、制御部３１は、変数ｘで設定したアンテナが展示館１０の出口１０ｂに配置されているアンテナ１ｆであるか否かを判別する（ステップＳ３０８）。アンテナ１ｆが配置されている領域には、上述したように、展示物は収容されていない。
【００５９】
変数ｘで設定したアンテナがアンテナ１ｆでない場合（ステップＳ３０８；ＮＯ）、すなわち、変数ｘで設定したアンテナが、展示物が収容されている領域のアンテナ１ａ乃至１ｅのいずれかである場合には、制御部３１は、ステップＳ３０２に移行して、ステップＳ３０８までのループを繰り返す。すなわち、制御部３１は、アンテナ１ｆを除き、変数ｘで順次設定するアンテナが配置されている各領域において、その領域で検出した全ての携帯端末２に対してコンテンツ情報を送信する。
【００６０】
変数ｘで設定したアンテナがアンテナ１ｆである場合には（ステップＳ３０８；ＹＥＳ）、制御部３１は、図４のフローチャートに戻る。
【００６１】
図７は、図４のステップＳ１０３における携帯端末抹消処理のフローチャートである。制御部３１は、アンテナ１ｆから携帯端末２を探索する（ステップＳ４０１）。
【００６２】
制御部３１は、アンテナ１ｆの領域内の携帯端末２を検出したか否かを検出する（ステップＳ４０２）。
【００６３】
アンテナ１ｆの領域内の携帯端末２を検出したときは（ステップＳ４０２；ＹＥＳ）、制御部３１は、その携帯端末２から通信アドレスを取得する（ステップＳ４０３）。
【００６４】
次に、制御部３１は、コンテンツ情報の終了を携帯端末２に送信する（ステップＳ４０４）。
【００６５】
次に、制御部３１は、バッファ部３５に登録している携帯端末の通信アドレスを抹消する（ステップＳ４０５）。
【００６６】
ステップＳ４０５において、バッファ部３５に登録している通信アドレスを抹消した後、制御部３１は、図４のフローチャートに戻る。また、アンテナ１ｆの領域内で携帯端末２を検出しない場合には（ステップＳ４０２；ＮＯ）、制御部３１は、図４のフローチャートに戻る。
【００６７】
次に、携帯端末２の動作について図８及び図９を参照して説明する。図８は、携帯端末２の制御部２１によって実行されるメインルーチンのフローチャートである。制御部２１は、Bluetooth機能のON操作がされたか否かを判別する（ステップＳ５０１）。
【００６８】
Bluetooth機能のON操作がされない場合には（ステップＳ５０１；ＮＯ）、制御部２１は、電話処理やメール処理等の通常の通信処理を実行する（ステップＳ５０２）。
【００６９】
展示館１０の入口１０ａから入館した携帯端末２は、通常、展示館の案内者から又は入口１０ａの案内情報によってBluetooth機能のＯＮ操作を促される。Bluetooth機能のON操作がされたときは（ステップＳ５０１；ＹＥＳ）、制御部２１は、Bluetoothデバイスの照会（Inquiry動作）を行う（ステップＳ５０３）。すなわち、制御部２１は、問い合わせ（照会）メッセージの電波を送信してBluetoothデバイスを探索する。
【００７０】
制御部２１は、探索の結果、入口１０ａ近傍に配置されているアンテナ１ａを検出したか否かを判別する（ステップＳ５０４）。
【００７１】
アンテナ１ａを検出しない場合には（ステップＳ５０４；ＮＯ）、制御部２１は、ステップＳ５０３においてBluetoothデバイスの照会（Inquiry）を継続する。実際には、携帯端末２（の利用者）は、入口１０ａにおいて現金又は電子決済によって入場料の支払いを行うので、携帯端末２は、必然的にアンテナ１ａを検出することになる。
【００７２】
アンテナ１ａを検出したときは（ステップＳ５０４；ＹＥＳ）、制御部２１は、Bluetoothデバイス３ａとペアリングを行う（ステップＳ５０５）。すなわち、制御部２１は、Bluetoothデバイス３ａとの間でBluetoothのプロトコルに準拠した処理を行って通信路を確立する。
【００７３】
次に、制御部２１は、アンテナ１ａを介して自己の通信アドレスをBluetoothデバイス３ａに送信する（ステップＳ５０６）。実際には、携帯端末２とBluetoothデバイス３ａ（サーバ３）との間で通信路が確立すると、サーバ３は携帯端末２の通信アドレスを自動的に取得する。ここでは、携帯端末２側から通信アドレスのデータが通信路を伝送してサーバ３側に達するので、携帯端末２から通信アドレスを送信するという表現にしている。
【００７４】
次に、制御部２１は、アンテナ１ａを介して応答信号をBluetoothデバイス３ａから受信する（ステップＳ５０７）。これにより、携帯端末２は、自己の通信アドレスがサーバ３に登録されたことを認識する。したがって、この後は、展示室のどの領域に移動しても、その領域のアンテナを介してペアリングを行う必要はない。すなわち、上述したように、通信アドレスが登録された携帯端末２は、展示館内に存在する限り、サーバ３との間で常に通信路が確立されている。例えば、通常の電話に例えるならば、電話回線がつながった状態になっている。したがって、携帯端末２の利用者は、相手（サーバ３）にダイヤル（ペアリング）することなく、相手の音声（コンテンツ情報）を聞くことができる。
【００７５】
携帯端末２の制御部２１によるステップＳ５０３からステップＳ５０７までの一連の処理は、図５に示したサーバ３の制御部３１による一連の処理に対応している。
【００７６】
図８のステップＳ５０７において、応答信号を受信した後、制御部２１は、コンテンツ情報の受信処理を実行する（ステップＳ５０８）。
【００７７】
図９は、ステップＳ５０８における制御部２１のコンテンツ情報の受信処理のフローチャートである。上述したように、サーバ３の通信部３８における複数のBluetoothデバイス３ａ乃至３ｆは、同一の通信アドレスであるBD_ADDRを持っている。したがって、制御部２１は、展示館１０内のどの領域に移動しても、その領域に配置されている別個のアンテナ（１ｂ、１ｃ、１ｄ、１ｅ、１ｆ）を介して、それぞれに対応するBluetoothデバイス（３ｂ、３ｃ、３ｄ、３ｅ、３ｆ）との間でペアリング（接続操作）をすることなく、コンテンツ情報を受信できる。
【００７８】
図９において、展示物が収容されている各領域に移動する携帯端末２の制御部２１は、その領域に配置されたアンテナを介して、コンテンツ情報を受信したか否かを判別する（ステップＳ６０１）。上述したように、アンテナ１ｆが配置された領域には、展示物が収容されていないので、携帯端末２は、アンテナ１ａ乃至１ｅのいずれか１つのアンテナからコンテンツ情報を受信する。
【００７９】
コンテンツ情報を受信したときは（ステップＳ６０１；ＹＥＳ）、制御部２１は、そのコンテンツ情報を音声／画像ガイド信号に変換する（ステップＳ６０２）。すなわち、制御部２１は、符号化されたコンテンツ情報を復号化して音声ガイド信号や画像ガイド信号に変換する。
【００８０】
次に、制御部２１は、音声／画像ガイド信号を出力する（ステップＳ６０３）。すなわち、制御部２１は、音声ガイド信号を音声部２５から発音させ、画像ガイド信号を表示部２７の画面に表示させる。
【００８１】
音声／画像ガイド信号を出力した後、制御部２１は、図８のフローチャートに戻る。また、コンテンツ情報を受信しない場合（ステップＳ６０１；ＮＯ）、例えば、領域内にあっても展示物すなわちアンテナから極端に離れた場合には、コンテンツ情報を受信できない場合もあるので、図８のフローチャートに戻る。
【００８２】
図８において、ステップＳ５０８におけるコンテンツ情報の受信処理の後、制御部２１は、コンテンツ情報の終了を受信したか否かを判別する（ステップＳ５０９）。
【００８３】
コンテンツ情報の終了を受信しない場合には（ステップＳ５０９；ＮＯ）、制御部２１は、図９のコンテンツ情報の受信処理を継続する。
【００８４】
コンテンツ情報の終了を受信したときは（ステップＳ５０９；ＹＥＳ）、制御部２１は、ステップＳ５０２に移行して、通常の通信処理を行う。すなわち、携帯端末２が退館した後は、制御部２１は、電話やメールを送受信する通常の通信処理に戻る。
【００８５】
以上のように、上記実施形態における情報配信システムは、情報配信装置であるサーバ３及び携帯端末２を備えている。
サーバ３は、展示物が収容された展示館１０内の複数の領域の各々に配置された複数のアンテナ１ａ乃至１ｆを介して通信路が確立された携帯端末２との間で無線通信を行う通信部３８（第１の通信部）と、通信路が確立された携帯端末２に対して、そのアンテナの位置に対応する位置の展示物に関するコンテンツ情報を、通信部３８によって送信させる制御部３１（第１の制御部）と、を有する。携帯端末２は、領域内の任意のアンテナからコンテンツ情報を受信するBluetooth通信部２９（第２の通信部）と、Bluetooth通信部２９によって受信されたコンテンツ情報を処理して音声情報、画像情報を音声部２５、表示部２７出力する制御部２１（第２の制御部）と、を有する。
【００８６】
したがって、従来のように展示物が収容された展示館内の複数の領域の各々に配置された個々の無線通信装置ごとに煩雑な接続処理を必要とすることなく、携帯端末の利用者が各領域の展示物に近づいたときに、その展示物に関するコンテンツ情報を音声や画像によって迅速にガイドすることが可能になる。
【００８７】
また、サーバ３の通信部３８は、複数のアンテナ１ａ乃至１ｆの各々と接続された同一の通信アドレスを有する複数のBluetoothデバイス３ａ乃至３ｆをさらに備え、各Bluetoothデバイスは、同一の通信アドレスに基づいて、異なる通信アドレスを有する任意の携帯端末２との間で通信路を確立する構成になっている。
【００８８】
したがって、携帯端末２は、ある１つの領域に対応するBluetoothデバイスとの間で通信路の確立がなされた後は、他の領域に移動した場合でも、その異動先のBluetoothデバイスとの間で新たに通信アドレスを取得して接続処理をすることなく、移動先の領域において展示物のガイドを迅速に享受することができる。
【００８９】
（変形例）
上記実施形態の変形例として、照明器具を利用してアンテナを配置する一例について説明する。各領域に収容されている展示物には、通常、天井等に設置されたハロゲンランプ等の照明器具によって照明が当てられている。そこで、これらの照明器具にアンテナを取り付けて、あるいは、照明器具の金属製の傘やその他の部品をアンテナとして、配置することも可能である。
【００９０】
また、アンテナ内に増幅回路等の電子部品がある場合でも、電灯線から直接又は電磁誘導によって間接に得られる電源によってその電子部品を駆動することができる。さらに、電灯線自体をBluetooth通信線の通信回線に利用することも可能である。
【００９１】
すなわち、この変形例においては、複数のBluetoothデバイス３ａ乃至３ｅは、各領域において展示物を照明する照明器具に取り付けられたアンテナ又は照明器具の一部を構成するアンテナを介して、任意の携帯端末２との間で通信路を確立する。
【００９２】
したがって、従来のように、展示物の近傍に無線通信装置を設置する場合に比べて、展示物や展示館の美観を損ねるおそれがない。
【００９３】
上記の実施形態の一部又は全部は、以下の付記のようにも記載されうるが、以下には限られない。
【００９４】
（付記１）
情報配信装置及び携帯端末を備え、
前記情報配信装置は、
展示物が収容された展示館内の複数の領域の各々に配置された複数のアンテナを介して通信路が確立された携帯端末との間で無線通信を行う第１の通信部と、
前記通信路が確立された携帯端末に対して当該アンテナの位置に対応する位置の展示物に関するコンテンツ情報を前記第１の通信部によって送信させる第１の制御部と、を有し、
前記携帯端末は、
前記領域内の任意のアンテナからコンテンツ情報を受信する第２の通信部と、
前記第２の通信部によって受信されたコンテンツ情報を処理して音声情報及び又は画像情報を出力する第２の制御部と、を有する、
ことを特徴とする情報配信システム。
【００９５】
（付記２）
前記第１の通信部は、前記複数のアンテナの各々と接続された同一の通信アドレスを有する複数の通信デバイスをさらに備え、各通信デバイスは、当該同一の通信アドレスに基づいて、異なる通信アドレスを有する任意の携帯端末との間で通信路を確立する、
ことを特徴とする付記１に記載の情報配信システム。
【００９６】
（付記３）
展示物が収容された展示館内の複数の領域の各々に配置された複数のアンテナと、
任意のアンテナを介して通信路が確立された携帯端末との間で無線通信を行う通信部と、
前記展示物に関するコンテンツ情報を記憶するコンテンツ記憶部と、
前記通信路が確立された携帯端末に対して当該アンテナの位置に対応する位置の展示物に関するコンテンツ情報を前記コンテンツ記憶部から読み出して前記通信部によって送信させる制御部と、を備える、
ことを特徴とする情報配信装置。
【００９７】
（付記４）
前記通信部は、前記複数のアンテナの各々と接続された同一の通信アドレスを有する複数の通信デバイスをさらに備え、各通信デバイスは、当該同一の通信アドレスに基づいて、異なる通信アドレスを有する任意の携帯端末との間で通信路を確立する、
ことを特徴とする付記３に記載の情報配信装置。
【００９８】
（付記５）
前記複数の通信デバイスは、同一のBluetoothデバイスアドレスを有する、
ことを特徴とする付記４に記載の情報配信装置。
【００９９】
（付記６）
前記複数の通信デバイスは、各領域において展示物を照明する照明器具に取り付けられたアンテナ又は当該照明器具の一部を構成するアンテナを介して、任意の携帯端末との間で通信路を確立する、
ことを特徴とする付記３乃至５のいずれか１つの付記に記載の情報配信装置。
【０１００】
（付記７）
展示物が収容された展示館内の複数の領域の各々に配置された複数のアンテナを介して情報配信装置との間で通信路を確立する通信部と、
任意の領域内に配置されたアンテナから前記通信部が受信した当該アンテナの位置に対応する位置の展示物に関するコンテンツ情報を処理して音声情報及び又は画像情報を出力する制御部と、を有する、
ことを特徴とする携帯端末。
【０１０１】
（付記８）
前記通信部は、前記複数のアンテナがそれぞれ配置された異なる領域の位置にかかわらず同一の通信アドレスによって前記情報配信装置との間で通信路を確立する、
ことを特徴とする付記７に記載の携帯端末。
【０１０２】
（付記９）
情報配信装置の第１の通信部が、展示物が収容された展示館内の複数の領域の各々に配置された複数のアンテナを介して通信路が確立された携帯端末との間で無線通信を行い、
前記情報配信装置の第１の制御部が、前記通信路が確立された携帯端末に対して当該アンテナの位置に対応する位置の展示物に関するコンテンツ情報を前記第１の通信部によって送信させ、
前記携帯端末の第２の通信部が、前記領域内の任意のアンテナからコンテンツ情報を受信し、
前記携帯端末の第２の制御部が、前記第２の通信部によって受信されたコンテンツ情報を処理して音声情報及び又は画像情報を出力する、
ことを特徴とする情報配信方法。
【０１０３】
（付記１０）
コンピュータに、
展示物が収容された展示館内の複数の領域の各々に配置された複数のアンテナのうちの任意のアンテナを介して通信路が確立された携帯端末との間で無線通信を行う第１のステップと、
前記通信路が確立された携帯端末に対して当該アンテナの位置に対応する位置の展示物に関するコンテンツ情報を前記第１のステップによって送信させる第２のステップと、を実行させる、
ことを特徴とするプログラム。
【符号の説明】
【０１０４】
１ａ〜１ｆ  アンテナ
２          携帯端末
３          サーバ
３ａ〜３ｆ  Bluetoothデバイス
１０        展示館
２１、３１  制御部
２９        Bluetooth通信部
３４        コンテンツ記憶部
３５        バッファ部
３８        通信部
【図１】
2012181683.tif 000003
【図２】
2012181683.tif 000004
【図３】
2012181683.tif 000005
【図４】
2012181683.tif 000006
【図５】
2012181683.tif 000007
【図６】
2012181683.tif 000008
【図７】
2012181683.tif 000009
【図８】
2012181683.tif 000010
【図９】
2012181683.tif 000011